(57)【要約】【課題】人の肩甲部に使用者自ら容易にかつ的確に貼り付けることができるとともに、肩甲部に対するフィット性に優れた発熱具を提供する。【解決手段】発熱具１は空気と接触することで発熱する発熱組成物２と、発熱組成物２を内部の収納部３２に収納可能な収納袋３と、収納袋３の一方面に設けられた粘着層４とを備える。収納袋３は、平面視において、２つの凸状に突き出た第１頂部３３及び第２頂部３４の間に内側に向けて凸状に窪んだ括れ部３６を有する外形を呈しており、収納袋３には、収納部３２を分断して第１頂部３３と第２頂部３４との間で収納袋３を折り曲げることを可能にする分断部７が設けられている。【選択図】図１
2019198521.tif 000002
【特許請求の範囲】
【請求項１】
人の肩甲部に貼り付けて使用される発熱具であって、
発熱材料と、
前記発熱材料を内部の収納部に収納可能な収納袋と、
前記収納袋の一方面に設けられた粘着層と、を備え、
前記収納袋は、平面視において、２つの凸状に突き出た第１頂部及び第２頂部の間に内側に向けて凸状に窪んだ括れ部を有する外形を呈しており、
前記収納袋には、前記収納部を分断して前記第１頂部と前記第２頂部との間で前記収納袋を折り曲げることを可能にする分断部が設けられている、発熱具。
【請求項２】
前記収納袋は、平面視において、凸状に突き出た第３頂部を前記括れ部と対向する位置に有する略三角形状の外形を呈している、請求項１に記載の発熱具。
【請求項３】
前記分断部は、前記括れ部と、前記第３頂部との間を延びるように前記収納袋に設けられている、請求項２に記載の発熱具。
【請求項４】
前記収納袋は、平面視において、前記第１頂部、前記第２頂部、前記第３頂部及び前記括れ部が丸みを帯びるとともに、隣り合う頂部の間及び隣り合う頂部と括れ部との間に挟まれた各辺縁部が外側へ凸状に湾曲した外形を呈している、請求項２又は３に記載の発熱具。
【請求項５】
前記括れ部の先端と前記第１頂部の先端とを結ぶ仮想直線と、前記括れ部の先端と前記第２頂部の先端とを結ぶ仮想直線とのなす角度が４０°以上１７０°以下である、請求項２〜４のいずれかに記載の発熱具。
【請求項６】
前記第３頂部の先端と前記第１頂部の先端とを結ぶ仮想直線と、前記第３頂部の先端と前記第２頂部の先端とを結ぶ仮想直線とのなす角度が５０°以上１２０°以下である、請求項２〜５のいずれかに記載の発熱具。
【請求項７】
前記収納袋は、平面視において線対称となる外形を呈している、請求項１〜６のいずれかに記載の発熱具。
【発明の詳細な説明】
【技術分野】
【０００１】
本発明は、肩こりによる痛みを緩和する効果のある発熱具に関する。
【背景技術】
【０００２】
肩こりをはじめとする体の各部位の痛みを和らげる治療法に、患部を温める温熱治療法がある。この温熱治療において、患部に温熱刺激を与えるものとして使い捨てカイロが従来から使用されている。使い捨てカイロは、例えば特許文献１に示すように、袋の中に収納された鉄粉と酸化促進剤とを含む発熱組成物の発熱による熱を利用している。この発熱組成物は、約４５℃程度の温度に調整され、貼付時には皮膚温度を約３８〜４２℃の範囲に所定時間維持することができるため、温熱治療に適している。
【先行技術文献】
【特許文献】
【０００３】
【特許文献１】特開平５−２０８０３１号公報
【発明の概要】
【発明が解決しようとする課題】
【０００４】
使い捨てカイロは、肩こりの治療を目的とした場合には、人の両肩から首にわたる範囲に貼り付けられるが、体の後ろ側の所望部位に使い捨てカイロを使用者自ら的確に貼り付けるのは困難である。また、使い捨てカイロは、一般的に平面視で長方形状を呈しており、肩や首の湾曲する部位においてはフィット性に乏しいために剥がれやすく、温熱治療の効果を十分に発揮できない。
【０００５】
本発明は、上記課題に着目してなされたもので、肩こりの痛みの緩和のために、所定部位に使用者自ら容易にかつ的確に貼り付けることができるとともに、当該所定部位に対するフィット性に優れた発熱具を提供することを目的とする。
【課題を解決するための手段】
【０００６】
本発明者は、上記課題を解決すべく鋭意検討を行った結果、肩こりにより特に苦痛を感じる部位が僧帽筋や棘上筋の中でも、頚部の付け根から肩甲骨に至る部位（肩甲部）であることを見出し、発熱具を当該部位に容易に的確に貼り付けることができる形状とすることにより、僧帽筋や棘上筋に長時間にわたり効果的に温熱刺激を与えられることを見出した。本発明は、このような知見に基づいて更に研究を重ねた結果、完成されたものである。即ち、本発明は下記態様の発熱具を提供する。
【０００７】
本発明に係る発熱具は、人の肩甲部に貼り付けて使用されるものであって、発熱材料と、前記発熱材料を内部の収納部に収納可能な収納袋と、前記収納袋の一方面に設けられた粘着層と、を備え、前記収納袋は、平面視において、２つの凸状に突き出た第１頂部及び第２頂部の間に内側に向けて凸状に窪んだ括れ部を有する外形を呈しており、前記収納袋には、前記収納部を分断して前記第１頂部と前記第２頂部との間で前記収納袋を折り曲げることを可能にする分断部が設けられている。
【０００８】
本発明に係る発熱具の好ましい実施態様は、前記収納袋は、平面視において、凸状に突き出た第３頂部を前記括れ部と対向する位置に有する略三角形状の外形を呈していることを特徴としている。
【０００９】
また、本発明に係る発熱具の好ましい実施態様は、前記分断部は、前記括れ部と、前記第３頂部との間を延びるように前記収納袋に設けられていることを特徴としている。
【００１０】
また、本発明に係る発熱具の好ましい実施態様は、前記収納袋は、平面視において、前記第１頂部、前記第２頂部、前記第３頂部及び前記括れ部が丸みを帯びるとともに、隣り合う頂部の間及び隣り合う頂部と括れ部との間に挟まれた各辺縁部が外側へ凸状に湾曲した外形を呈していることを特徴としている。
【００１１】
また、本発明に係る発熱具の好ましい実施態様は、前記括れ部の先端と前記第１頂部の先端とを結ぶ仮想直線と、前記括れ部の先端と前記第２頂部の先端とを結ぶ仮想直線とのなす角度が４０°以上１７０°以下であることを特徴としている。
【００１２】
また、本発明に係る発熱具の好ましい実施態様は、前記第３頂部の先端と前記第１頂部の先端とを結ぶ仮想直線と、前記第３頂部の先端と前記第２頂部の先端とを結ぶ仮想直線とのなす角度が５０°以上１２０°以下であることを特徴としている。
【００１３】
また、本発明に係る発熱具の好ましい実施態様は、前記収納袋は、平面視において線対称となる外形を呈していることを特徴としている。
【発明の効果】
【００１４】
本発明に係る発熱具によると、肩甲部に使用者自ら容易にかつ的確に貼り付けることができるとともに、肩甲部に対するフィット性に優れていて肩甲部から剥がれ難いため、肩こりにより特に苦痛を感じる肩甲部の僧帽筋に対して、長時間にわたり効果的に温熱刺激を与えることができる。
【図面の簡単な説明】
【００１５】
【図１】発熱具の平面図である。
【図２】発熱具の底面である。
【図３】図１のＡ−Ａ断面図である。
【図４】発熱具を人の肩甲部に貼り付ける方法を説明するための図である。
【図５】発熱具が人の肩甲部に貼り付けられた状態を示す図である。
【図６】発熱具による肩こり症状への温熱効果と温熱効果の継続性とを評価したグラフである。
【発明を実施するための形態】
【００１６】
以下、本発明に係る発熱具の実施形態について図面を参照しつつ説明する。図１〜図３は、本実施形態の発熱具１を示す。発熱具１は、肩こりによる痛みを緩和することを目的に使用されるものであり、図５に示すように、人の一対の肩甲部に対し、肩甲部ごとに僧帽筋や棘上筋を覆うように発熱具１を貼り付けることで、僧帽筋や棘上筋に効果的に温熱刺激を与えるものである。
【００１７】
発熱具１は、発熱材料２と、発熱材料２を収納した収納袋３と、収納袋３の一方の面に設けられた粘着層４と、粘着層４を覆う剥離シート５とを備えている。発熱具１は、使用時には、剥離シート５が収納袋３から剥がされ、露出した粘着層４を介して収納袋３を使用者の皮膚に貼り付けることで、収納袋３内の発熱材料２の発熱による熱を温熱刺激として患部に与える。この発熱具１としては、例えば貼るタイプの使い捨てカイロを好適に用いることができる。なお、従来の使い捨てカイロは、平面視長方形状のものが一般的であるが、本実施形態の発熱具１は、従来の使い捨てカイロとは形状が異なる。発熱具１は、未使用時には、図示は省略するが、密封された扁平状の外袋内に封入されている。
【００１８】
発熱材料２は、例えば空気との接触により発熱する発熱組成物を好適に例示することができる。発熱組成物は、空気との接触により発熱するものであればよく、例えば、被酸化性金属、活性炭、保水剤（木粉、バーミキュライト、けい藻土、パーライト、シリカゲル、アルミナ、吸水性樹脂など）、金属塩（食塩など）及び水をそれぞれ適宜の含有量含んでいる、従来から使い捨てカイロに用いられている公知の組成物を使用することができる。被酸化性金属は、酸化反応熱を発する金属であり、例えば、鉄、アルミニウム、亜鉛、マンガン、マグネシウム、及びカルシウムから選ばれる１種又は２種以上の粉末や繊維が挙げられる。なかでも、取り扱い性、安全性、製造コスト、保存性及び安定性の点から鉄粉が好ましい。鉄粉としては、例えば、還元鉄粉、及びアトマイズ鉄粉から選ばれる１種又は２種以上が挙げられる。発熱具１は、上述した発熱組成物の成分が調整されていることにより、使用時に所望の発熱条件（最高温度、平均温度、発熱持続時間など）となるようにコントロールされている。
【００１９】
なお、発熱材料２は、空気との接触により発熱する材料以外を用いてもよく、例えば、電子レン等でマイクロ波の照射を受けることで発熱する材料（例えばフェライト等のセラミック粉末やあずき等）を用いてもよい。
【００２０】
収納袋３は、同形状の表裏２枚のシート材３０，３１からなり、２枚のシート材３０，３１を重ね合わせ、外周縁部を全周にわたって公知の接着剤を用いて接合する、あるいは熱融着（ヒートシール）により接合することによって、発熱材料２を収納可能な収納部３２を有する袋状に形成されている。
【００２１】
２枚のシート材３０，３１のうち、皮膚に貼り付けられない方の第１シート材３０は、通気性を有している。第１シート材３０としては、通気性を有していれば、多孔質の樹脂フィルムであっても針で穿孔した樹脂フィルムであってもよく、不織布又は織布であってもよい。また、第１シート材３０は、樹脂フィルムや不織布などの単層構成であってもよいし、樹脂フィルムと不織布などとを積層した多層構成であってもよい。樹脂フィルムとしては、従来から、使い捨てカイロの収納袋として用いられているものを使用でき、例えば、ポリエチレン、ポリプロピレン、ポリエステル、ポリアミド、ポリビニルアルコール、ポリ塩化ビニル、ポリ塩化ビニリデン、ポリウレタン、ポリスチレン、エチレン−酢酸ビニル共重合体、ポリカーボネート、塩酸ゴムなどを例示することができ、また、不織布も、ポリプロピレン、ナイロン、ビニロン、ポリエステル、ポリエチレンテレフタレート、レーヨン、アセテート、アクリル、ポリエチレン、ポリ塩化ビニルなどの人工繊維、綿、麻、絹などの天然繊維を含むものなどを例示することができる。また、不織布以外にも例えば紙などを例示することができる。
【００２２】
皮膚に貼り付けられる方の第２シート材３１は、通気性又は非通気性のいずれを有していてもよく、第１シート材３０と同様に、樹脂フィルムであっても不織布又は織布であってもよく、また、単層構成であってもよいし多層構成であってもよい。
【００２３】
収納袋３は、平面視形状において、３つの凸状に突き出た第１頂部３３、第２頂部３４及び第３頂部３５を有している。各頂部３３〜３５は、放射状に突き出ている。また、収納袋３は、第１頂部３３及び第２頂部３４の間に内側に向けて凸状に窪んだ括れ部３６を有している。そして、収納袋３は、隣り合う頂部同士の間、及び、隣り合う頂部と括れ部３６との間を、具体的には、第１頂部３３と第３頂部３５との間、第２頂部３４と第３頂部３５との間、第１頂部３３と括れ部３６との間、及び、第２頂部３４と括れ部３６との間、を辺縁部３７，３８，３９，４０でそれぞれ繋ぐことで外形が形作られている。
【００２４】
各辺縁部３７〜４０は、全て直線状を呈していてもよいし、全て曲線状を呈していてもよく、さらには、一部の辺縁部が直線状を呈していて残りの辺縁部が曲線状を呈していてもよい。また、曲線は、滑らかに折れ曲がる線であってもよいし、複数の直線を鈍角で繋いだ線であってもよい。さらに、曲線は、外側に膨らむ凸曲線であってもよいし、内側に窪む凹曲線であってもよい。
【００２５】
このように、収納袋３は、平面視における全体形状が、各頂部３３〜３５を頂点とするような略三角形状を呈している。なお、略三角形状と称したのは、第３頂部３５と対向する位置に括れ部３６を有するので、仮想直線Ｌ１，Ｌ２，Ｌ３で形作られる厳密な三角形状ではないうえ、また、各辺縁部３７〜４０の形状に曲線状も含むためである。なお、図１では、第１頂部３３及び第２頂部３４を結ぶ仮想直線をＬ１とし、第１頂部３３及び第３頂部３５を結ぶ仮想直線をＬ２とし、第２頂部３４及び第３頂部３５を結ぶ仮想直線をＬ３としている。
【００２６】
各頂部３３〜３５及び括れ部３６は、平面視において丸みの帯びた形状や先の角張った形状のいずれを呈していてもよい。具体的には、各頂部３３〜３５及び括れ部３６は、２つの線が凸状に接続されることで形成されるが、例えば、直線同士による接続の場合、直線と曲線（凸曲線、凹曲線）とによる接続の場合、及び、凸曲線と凹曲線とによる接続の場合には、２つの線は滑らかに接続されないため、各頂部３３，３４，３５及び括れ部３６の形状は先の角張った形状となる。また、凸曲線同士による接続の場合に、２つの凸曲線が滑らかに接続されていない場合には、つまりは、２つの凸曲線が端点における接線の方向が同一となるように滑らかに接続されていない場合には、同様に、各頂部３３〜３５及び括れ部３６の形状は先の角張った形状となる。この場合、各頂部３３〜３５及び括れ部３６の先の角張った位置が、各頂部３３〜３５及び括れ部３６の先端Ｔ１，Ｔ２，Ｔ３，Ｔ４となる。
【００２７】
一方で、２つの凸曲線が滑らかに接続されている場合には、つまりは、２つの凸曲線が端点における接線の方向が同一となるように滑らかに接続されている場合には、各頂部３３〜３５及び括れ部３６の形状は丸みの帯びた形状となる。この場合、各頂部３３〜３５の先端Ｔ１，Ｔ２，Ｔ３は、各頂部３３〜３５の中でも最も放射方向外側に突き出た位置となり、括れ部３６の先端Ｔ４は、括れ部３６の中で最も内側に入り込んだ位置となる。
【００２８】
なお、収納袋３に角が存在すると、収納袋３が剥がれやすくなるため、収納袋３の剥がれ難さを考慮すると、各頂部３３〜３５及び括れ部３６の形状は、先の角張った形状ではなく丸みの帯びた形状であることが好ましい。同様に、各辺縁部３７〜４０の形状も凸曲線状であることが好ましい。
【００２９】
収納袋３は、人の肩甲部にフィット性よく貼り付けることができるように、上述した括れ部３６を有している。肩甲部には肩甲骨が存在し、背中の上部を内側に向けて下方に傾斜しながら左右に延びる肩甲棘や、脊柱に近い位置で下方に向けて外側に傾斜しながら上下に延びる内側縁が皮膚側に突き出ているので、肩甲部の表面は凹凸している。この肩甲骨の肩甲棘や内側縁の突出に対して、収納袋３を良好にフィットさせるために、収納袋３の第１頂部３３と第２頂部３４との間に括れ部３６が設けられている。括れ部３６によって、収納袋３の第１頂部３３及びと第２頂部３４に挟まれた辺縁部３９，４０が略Ｖ字形状をなすことで、肩甲骨の肩甲棘及び内側縁のなすＶ字形状に沿って折れ曲がって、辺縁部３９，４０が肩甲部に対してその表面から浮くことなく密着する。よって、収納袋３を肩甲部に対してフィット性よく貼り付けることができ、収納袋３が肩甲部から剥がれ難くなっている。
【００３０】
この辺縁部３９，４０の括れ具合は、特に限定されるものではないが、肩甲骨の肩甲棘及び内側縁のなすＶ字形状に沿って辺縁部３９，４０が折れ曲がるとともに、肩甲骨の肩甲棘及び内側縁上の僧帽筋やその近傍の棘上筋を広範囲で覆うことができるような括れ具合に設定されることが好ましい。例えば、図１において、第１頂部３３の先端Ｔ１及び括れ部３６の先端Ｔ４を結ぶ仮想直線をＬ４とし、第２頂部３４の先端Ｔ２及び括れ部３６の先端Ｔ４を結ぶ仮想直線をＬ５として、仮想直線Ｌ４と仮想直線Ｌ５とのなす角度θ４が４０°以上１７０°以下であることが好ましく、１００°以上１６０°以下であることがさらに好ましい。
【００３１】
また、収納袋３は、肩甲部の僧帽筋や棘上筋を広範囲で覆うことができるように、上述した略三角形状を呈している。肩甲部の僧帽筋（棘上筋を含む）は、頚部の付け根から肩甲骨にかけて全体的に三角形状を呈しており、この肩甲部の僧帽筋等の三角形状に合わせるために収納袋３が略三角形状に形成されている。収納袋３は、略三角形状であれば特に限定されるものではないが、肩甲部の僧帽筋や棘上筋をより広範囲で覆うためには、例えば、図１において、仮想直線Ｌ２と仮想直線Ｌ３とのなす角度θ３が５０°以上１２０°以下であることが好ましく、５０°以上９０°以下であることがさらに好ましい。また、仮想直線Ｌ２と仮想直線Ｌ４とのなす角度θ１が１０°以上６０°以下であることが好ましく、２０°以上４５°以下であることがさらに好ましい。また、仮想直線Ｌ３と仮想直線Ｌ５とのなす角度θ２が１０°以上６０°以下であることが好ましく、２０°以上４５°以下であることがさらに好ましい。。
【００３２】
収納袋３には、２枚のシート材３０，３１を第１頂部３３及び第２頂部３４の間の所定位置で接着剤や熱融着（ヒートシール）により互いに接合することで、収納部３２を分断して２つの領域に区画する分断部７が設けられている。収納袋３は、この分断部７で第１頂部３３及び第２頂部３４を折り重ねられるように折り曲げることで、収納袋３の面積を減少することができる。よって、未使用時に収納袋３を封入するための外袋をコンパクトにすることができる。
【００３３】
分断部７は、本実施形態では、第３頂部３５と括れ部３６との間を延びるように収納袋３に設けられている。なお、分断部７は、必ずしも第３頂部３５と括れ部３６との間を延びている必要はなく、左右に位置ずれしていてもよい。また、分断部７は斜めに延びるようにして収納袋３に設けられていてもよい。
【００３４】
分断部７は、収納袋３の２枚のシート材３０，３１を公知の接着剤を用いて接合する、あるいは熱融着（ヒートシール）により接合することによって形成されている。なお、分断部７は、収納袋３の２枚のシート材３０，３１を縫い合わせることで形成してもよい。
【００３５】
収納袋３は、平面視において、仮想直線Ｌ６（この実施形態では中心線）に対して線対称となる外形を呈している。これにより、１種類の発熱具１を、左右両方の肩甲部に対して左右の区別なく適用することができる。
【００３６】
粘着層４は、非通気性の第２シート材３１の表面に設けられている。粘着層４は、皮膚への粘着作用のあるアクリル系粘着剤や、ウレタン系粘着剤、シリコン系粘着剤、ゴム系粘着剤、松脂などを第２シート材３１の表面に塗布することで形成される。この粘着剤の塗布量は、粘着層４の厚みが１０μｍ〜３００μｍ程度となるように塗布することが好ましい。
【００３７】
剥離シート５は、発熱具１が使用されるまでの間、粘着層４を被覆している。剥離シート５は、例えば、紙、ポリエチレンテレフタレート、ポリエチレンなどを単独又は複数組み合わせて積層し、これらの粘着層４を覆う側の面にシリコン加工を施して形成することができる。この剥離シート５は、第２シート材３１の全面を覆うことができるように第２シート材３１と同形状に形成されている。剥離シート５には、切れ込みが設けられており、切れ込みにより剥離シート５が２つに分断される。これにより、剥離シート５を収納袋３から別々に剥がしやすくなっている。
【００３８】
上述した本実施形態の発熱具１は、以下の手順で人の肩甲部に貼り付けられる。まず、剥離シート５を収納袋３から剥がす。次に、図４に示すように、収納袋３の第２頂部３４を左手で持ち、第３頂部３５が肩甲部に対して内側を向くように左手を背中の方へ回す。なお、図４では、右の肩甲部に発熱具１を貼り付ける例を示している。そして、収納袋３の第２頂部３４と括れ部３６との間の辺縁部４０が右の肩甲骨の肩甲棘の下方位置で肩甲棘に沿うようにして、第２頂部３４を肩甲部に貼り付ける。この際に、収納袋３は、分断部７で第１頂部３３と第２頂部３４との間で折り曲げ可能となっており、第２頂部３４を肩甲部に貼り付ける際に収納袋３の第１頂部３３側は第２頂部３４側に当初は折り重ねられていても、第２頂部３４を肩甲部に貼り付けた際の勢いで分断部７を軸に回転して収納袋３の第１頂部３３側も肩甲部に貼り付けられる。このように、収納袋３の第２頂部３４を肩甲部に対して適切に位置決めすることで、図５に示すように、収納袋３の第１頂部３３と括れ部３６との間の辺縁部３９が肩甲骨の内側縁の内側位置で内側縁に沿うようにして、第１頂部３２が肩甲部に貼り付けられる。また、頚部の付け根を向くようにして、第３頂部３５が肩甲部に貼り付けられる。これにより、発熱具１により頚部の付け根から肩甲骨にいたる僧帽筋や棘上筋が広範囲で覆われる。
【００３９】
なお、左の肩甲部に発熱具１を貼り付けるためには、図示は省略するが、収納袋３の第１頂部３３を右手で持ち、第３頂部３５が肩甲部に対して内側を向くように右手を背中の方へ回す。そして、収納袋３の第１頂部３３と括れ部３６との間の辺縁部３９が左の肩甲骨の肩甲棘の下方位置で肩甲棘に沿うようにして、第１頂部３３を肩甲部に貼り付ける。これにより、右の肩甲部と同様に、第１頂部３３を肩甲部に貼り付けた際の勢いで収納袋３の第２頂部３４側も肩甲部に貼り付けることができる。
【００４０】
上述した本実施形態の発熱具１によると、肩甲部の僧帽筋や棘上筋を広範囲で覆うことができるので、肩こりによる苦痛を伴うことが多い肩甲部の僧帽筋や棘上筋に対して、効果的に温熱刺激を与えることができる。
【００４１】
また、体の後ろ側の肩甲部に対しても、収納袋３の一部を肩甲部に対して位置決めすることで、使用者自らが肩甲部に対して容易にかつ的確に貼り付けることができる。
【００４２】
また、収納袋３に括れ部３６が設けられており、この括れ部３６により、第１頂部３３及びと第２頂部３４に挟まれた辺縁部３９，４０が肩甲骨の肩甲棘及び内側縁のなすＶ字形状に沿って折れ曲がって、肩甲部に対してその表面から浮くことなく密着する。よって、収納袋３を肩甲部に対してフィット性よく貼り付けることができ、収納部３を肩甲部から剥がれ難くすることができる。よって、長時間継続して肩甲部の僧帽筋や棘上筋に対して温熱刺激を与えることができる。
【００４３】
また、収納袋３の各頂部３３〜３５及び括れ部３６が丸みを帯びた形状を呈しており、かつ、各辺縁部３７〜４０も曲線状を呈していて、収納袋３に角がない。よって、収納袋３を肩甲部に対してさらに剥がれ難くすることができる。
【００４４】
以上、本発明の実施形態について説明したが、本発明は上記実施形態に限定されるものではなく、本発明の趣旨を逸脱しない限りにおいて種々の変更が可能である。
【００４５】
例えば、上記実施形態の発熱具１では、収納袋３は、平面視において線対称となる外形を呈しているが、収納袋３は、必ずしも線対称となるように形成されている必要はない。
【００４６】
また、上記実施形態の発熱具１では、収納袋３は、括れ部３６と対向する位置に凸状に突き出た第３頂部３５を有しているが、包装袋３は、必ずしも第３頂部３５を有している必要はない。例えば、第３頂部３５に当たる部分が凸状に突き出ることなく平坦に形成されていてもよく、また、第１頂部３３と第２頂部３４との間を円弧状の辺縁部で繋いでもよい。
【実施例】
【００４７】
以下、実施例を挙げて本発明を説明するが、本発明は以下の実施例に限定されるものではない。
【００４８】
肩こりを自覚している被験者３５名（２０〜６０歳未満）を対象として、図１に示す形状を備える発熱具を、図５に従って肩甲部の僧帽筋や棘上筋を覆うように貼り付け、肩こり症状への効果と温熱効果の継続性を評価した。
【００４９】
本実施例で使用した発熱具（サイズは１６０×１６０ｍｍ四方に収まる大きさ）は、以下の手順で製造した。
【００５０】
まず、発熱組成物として以下の成分を使用した。
＜発熱組成物＞
・鉄粉（平均粒径約５０μｍ）
・活性炭（平均粒経約１００μｍ）
・水
・バーミキュライト（平均粒径約５００μｍ）
・吸水性ポリマー（アクリル酸重合体部分塩架橋物、平均粒径２５０μｍ）
・食塩
【００５１】
前記発熱組成物の各成分を混合し、混合物を得た。ここで、鉄粉、活性炭、水、バーミキュライト、吸水性樹脂、食塩の配合割合はそれぞれ４５重量％、１６重量％、３１重量％、３重量％、３重量％、２重量％である。得られた混合物を、非通気性粘着シート（株式会社ニトムズ製、商品名ニトタック）を片面に装着させた多孔質フィルム（株式会社ニトムズ製、商品名ブレスロン）製の通気性の収納袋に収納して封をするとともに、収納袋の中央に分断部を形成して、発熱具を得た。その後、すばやく発熱具を、使い捨てカイロ用の非通気性の外袋に収納した。このようにして、発熱具を得た。
【００５２】
得られた発熱具を外袋から取り出し、測定したところ、発熱最高温度は４５℃以下であり、持続時間は８時間であった（ＪＩＳ  Ｓ４１００、２００７年による）。発熱具貼付時の皮膚温は３９℃〜４２℃であった。
【００５３】
肩こり症状に対する評価は次のように行った。
【００５４】
１日１枚８時間、７日間連続して、発熱具を患部（肩甲部の僧帽筋（棘上筋を含む））に貼り付けた。
【００５５】
発熱具の貼付前評価（事前確認）として、各被験者の肩こりの状態をVisual Analogue Scale（以下ＶＡＳ）で予め評価した。また、ＶＡＳの評価は、試験１日目は、発熱具貼付前、貼付４時間後、８時間後に行い、更に剥がしてから８時間後（貼付から１６時間後）にも行った。貼付２日目から７日目までは貼付前、貼付８時間後に評価を行った。更に、ＶＡＳの評価は、貼付中止後の８日目から１４日目も行なった。
【００５６】
ＶＡＳは、従来知られた痛みの程度を評価する手法であり、長さ１０ｃｍの黒い直線（左端が「痛みが全くない」、右端が「想像できる最大の痛み」）を被験者に見せて、現在の痛みがどの程度かを指し示す視覚的なスケールである。本試験では、「肩こり（はり・痛み）が全くない状態」を０、「想像できるもっともひどい肩こり（はり・痛み）」を１０と考え、その程度が、０〜１０の間のいくつぐらいで表せるかを線上に記すことにより、肩こりの程度（症状の重篤度）を、線上の左端０からの距離（単位ｍｍ）で評価した。距離が短いほど、肩こりの程度が低いことを示す。
【００５７】
結果を図６に示す。図６から明らかなように、発熱具貼付前（試験開始前）では６０ｍｍ程度以上の痛みがあったにもかかわらず、発熱具を貼付することにより、貼付期間中、肩こりが改善された。また、貼付開始から８日目以降は、貼付していないにもかかわらず、発熱具貼付前（試験開始前）と比較すると、肩こりの改善が維持された。これにより、前記発熱具は、痛みの緩和に有効であることが分かった。また、被験者に温感の程度を評価させたところ、僧帽筋や棘上筋への発熱具の貼付により、心地よい温感を得ることができたという評価が得られた。また、貼付中、発熱具が患部から剥がれ落ちることもなかった。
【００５８】
なお、ＶＡＳによる事前確認において肩こりの程度が３０ｍｍ程度の被験者や８０ｍｍ以上の被験者においても同様の試験を行ったところ、僧帽筋や棘上筋への発熱具の貼付により、同様に、肩こりの改善が認められ、心地よい温感が得られた。
【符号の説明】
【００５９】
１    発熱具
２    発熱組成物
３    収納袋
４    粘着層
５    剥離シート
７    分断部
３２  収納部
３３  第１頂部
３４  第２頂部
３５  第３頂部
３６  括れ部
３７  辺縁部
３８  辺縁部
３９  辺縁部
４０  辺縁部
【図１】
2019198521.tif 000003
【図２】
2019198521.tif 000004
【図３】
2019198521.tif 000005
【図４】
2019198521.tif 000006
【図５】
2019198521.tif 000007
【図６】
2019198521.tif 000008